(57)【特許請求の範囲】
【請求項１】
第１の光ファイバケーブル（４）と、該第１の光ファイバケーブルとは別の第２の光ファイバケーブル（５）との接続部を収納し、第１の光ファイバケーブルからの第２の光ファイバケーブルの分岐に用いられる光クロージャにおいて、
前記第１、第２の光ファイバケーブルが引き込まれるクロージャスリーブ（２）内に、第１の光ファイバケーブルから引き出された光ファイバの余長（４１ａ）を収納する余長収納ケース（３６）と、第１の光ファイバケーブルの光ファイバ（４１）と第２の光ファイバケーブルの光ファイバ（５１）とを光接続するための光コネクタモジュール（３７）とが積層されてなるケース積層体（３４）が収納され、
前記光コネクタモジュールは、前記第１の光ファイバケーブル側の光ファイバが引き込まれるモジュールケース（３７２）と、このモジュールケースの側壁部（３７３ａ、３７３ｂ）に実装された光コネクタアダプタ（３７１）とを具備し、前記光コネクタアダプタには、前記第１の光ファイバケーブル側の光ファイバの先端をコネクタ接続可能に成端する第１光コネクタ（４３）が前記モジュールケースの内側から接続され、
前記光コネクタモジュールの外側から、前記光コネクタアダプタに、第２の光ファイバケーブルの光ファイバの先端に取り付けられた第２光コネクタ（６）を挿入して接続することで、第１の光ファイバケーブルの光ファイバと第２の光ファイバケーブルの光ファイバとを光接続できるように構成され、
前記ケース積層体は、ケース積層体を構成する全ての光コネクタモジュール及び余長収納ケースに連通する渡り配線空間（３４１）を内部に具備し、
この渡り配線空間に、光コネクタモジュールと余長収納ケースとの間にわたって配線される光ファイバが通されていることを特徴とする光クロージャ（１）。
【請求項２】
第１の光ファイバケーブルから引き出された光ファイバに、光コネクタが先端に取り付けられている光ファイバであるコネクタ付き光ファイバ（４２）のピグテイル光ファイバが接続され、前記コネクタ付き光ファイバの先端の光コネクタが前記第１光コネクタとして機能することを特徴とする請求項１記載の光クロージャ。
【請求項３】
前記余長収納ケースが、第１の光ファイバケーブルから引き出された光ファイバと前記コネクタ付き光ファイバとの接続部（４４）を余長（４１ａ、４２ａ）とともに収納するものであることを特徴とする請求項２記載の光クロージャ。
【請求項４】
前記クロージャスリーブ内に、連結棒（３１）と、該連結棒の長手方向両端に取り付けられ、クロージャスリーブの対向する両側のケーブル導入穴（２２ａ、２２ｂ）から引き込まれる第１、第２の光ファイバケーブルを把持固定するケーブル固定具（３２、３３）とを具備してなる連結ユニット（３５）が収納され、
前記ケース積層体が、前記連結棒上に取り付けられていることを特徴とする請求項１〜３のいずれかに記載の光クロージャ。
【請求項５】
前記ケース積層体は、前記連結棒上に１又は複数を積層して設けられた前記余長収納ケースの上に、１又は複数の前記光コネクタモジュールが設けられていることを特徴とする請求項４記載の光クロージャ。
【請求項６】
前記光コネクタアダプタが、前記光コネクタモジュールの対向する両側の側壁部（３７３ａ、３７３ｂ）に実装されていることを特徴とする請求項１〜５のいずれかに記載の光クロージャ。
【請求項７】
さらに、第２の光ファイバケーブルがドロップケーブルであり、このドロップケーブルの余長を巻いた状態で保持する余長処理部材（７）が、前記クロージャスリーブの内部に設けられていることを特徴とする請求項１〜６のいずれかに記載の光クロージャ。
【請求項８】
前記余長処理部材が、前記ドロップケーブルの余長を巻き付けて湾曲処理するものであることを特徴とする請求項７記載の光クロージャ。
【請求項９】
最上段の余長収納ケース上にて、前記連結棒の長手方向に沿った中央部に、前記光コネクタモジュールが積層され、ドロップケーブルである第２の光ファイバケーブルの余長を湾曲処理して吸収するための余長処理部材が、前記最上段の余長収納トレー上に、前記光コネクタモジュールを介して前記連結棒の長手方向に沿った両側に対向配置して設けられていることを特徴とする請求項５記載の光クロージャ。
【請求項１０】
光ファイバケーブル（４）に組み立てられた光クロージャ（１）に、ドロップケーブル（５）を導入して、前記光ファイバケーブル側の光ファイバと接続する光ケーブル分岐方式であって、
前記光クロージャが、請求項１〜９のいずれかに記載の光クロージャであり、第２の光ファイバケーブルがドロップケーブルであり、
前記光クロージャの前記トレー積層体の光コネクタモジュールに実装されている光コネクタアダプタ（３７１）に、前記光コネクタモジュールの内側から、前記光ファイバケーブル側の光ファイバをコネクタ接続可能に成端する光コネクタ（４３）を接続しておき、
前記ドロップケーブルの先端に取り付けた光コネクタ（６）を前記光コネクタアダプタに挿入して、前記光ファイバケーブル側の光ファイバ先端の光コネクタと接続することで、光ファイバケーブル側の光ファイバにドロップケーブルが接続されて、光ファイバケーブルにドロップケーブルが分岐接続されることを特徴とする光ケーブル分岐方式。
【請求項１１】
光ファイバケーブル（４）に組み立てられた光クロージャ（１）に、ドロップケーブル（５）を導入して、前記光ファイバケーブル側の光ファイバと接続する光ケーブル分岐方式であって、
前記光クロージャが、請求項７〜９のいずれかに記載の光クロージャであり、第２の光ファイバケーブルがドロップケーブルであり、
前記光クロージャの前記トレー積層体の光コネクタモジュールに実装されている光コネクタアダプタ（３７１）に、前記光コネクタモジュールの内側から、前記光ファイバケーブル側の光ファイバをコネクタ接続可能に成端する光コネクタ（４３）を接続しておき、
前記ドロップケーブルの先端に取り付けた光コネクタ（６）を前記光コネクタアダプタに挿入して、前記光ファイバケーブル側の光ファイバ先端の光コネクタと接続することで、光ファイバケーブル側の光ファイバにドロップケーブルが接続されて、光ファイバケーブルにドロップケーブルが分岐接続されるように構成され、
さらに、前記光コネクタアダプタにて前記光ファイバケーブル側の光ファイバとコネクタ接続した前記ドロップケーブルの余長を巻いた状態で前記余長処理部材に保持して、前記光クロージャ内に収納できることを特徴とする光ケーブル分岐方式。
【発明の詳細な説明】
【技術分野】
【０００１】
本発明は、光クロージャに係り、特に、光ファイバケーブル（主ケーブル）と、分岐（引き落とし）用の光ファイバケーブルとの接続部の収納に用いられる光クロージャ、光ケーブル分岐方式に関する。
【背景技術】
【０００２】
光ファイバケーブル（主ケーブル）と分岐（引き落とし）用の光ファイバケーブル（ドロップケーブル）との分岐接続に用いられる光クロージャ（接続端子函）は、一般に、主ケーブル心線（光ファイバ心線）とドロップケーブル心線（光ファイバ心線）との融着接続部を収納する。この光クロージャでは、外装ケースとして機能するクロージャスリーブ内に、融着接続部やカプラ等の光部品を収納するための薄形ケース状の余長収納カセットを複数積層してなるカセット積層体を収納した構造が広く採用されている（例えば特許文献１）。余長収納カセットには、光ファイバ心線の余長も収納される。
【特許文献１】特開平１０−２６０３１８号公報
【発明の開示】
【発明が解決しようとする課題】
【０００３】
しかしながら、従来の光クロージャでは、ドロップケーブルの導入（増設）の度に、心線接続作業が必要となる。心線接続作業では、光クロージャの近くに融着機を搬入する必要があり、作業に手間が掛かる、といった問題があった。また、多くの場合、屋外での作業になるため、融着機の設置状態を安定させにくい、足場が悪いなど、といった、作業環境に係る問題が避けがたく、作業性の確保が問題となるケースが発生していた。
例えば、架空の既設クロージャは、余長収納カセット内に、加入者増に備えて予備心線（光ファイバ心線）を収納することが広く行われている。増設工事はバケット上で、クロージャスリーブの開閉と、光ファイバ心線の融着接続作業とを行う。
しかし、空中での作業環境は良くない上、光ファイバ心線の融着接続のために融着機をバケット上に持ち上げる必要があり、融着接続作業に支障を来す場合が多々生じている。
また、バケット車は交通の支障になるから作業時間の短縮が求められている。
【０００４】
本発明は、前記課題に鑑みて、光ファイバケーブルに対するドロップケーブルの分岐接続を、短時間で簡単に行える、光クロージャ、光ケーブル分岐方式の提供を目的としている。
【課題を解決するための手段】
【０００５】
上記課題を解決するために、本発明では以下の構成を提供する。
請求項１に係る発明は、第１の光ファイバケーブルと、該第１の光ファイバケーブルとは別の第２の光ファイバケーブルとの接続部を収納し、第１の光ファイバケーブルからの第２の光ファイバケーブルの分岐に用いられる光クロージャにおいて、前記第１、第２の光ファイバケーブルが引き込まれるクロージャスリーブ内に、第１の光ファイバケーブルから引き出された光ファイバの余長を収納する余長収納ケースと、第１の光ファイバケーブルの光ファイバと第２の光ファイバケーブルの光ファイバとを光接続するための光コネクタモジュールとが積層されてなるケース積層体が収納され、前記光コネクタモジュールは、前記第１の光ファイバケーブル側の光ファイバが引き込まれるモジュールケースと、このモジュールケースの側壁部に実装された光コネクタアダプタとを具備し、前記光コネクタアダプタには、前記第１の光ファイバケーブル側の光ファイバの先端をコネクタ接続可能に成端する第１光コネクタが前記モジュールケースの内側から接続され、前記光コネクタモジュールの外側から、前記光コネクタアダプタに、第２の光ファイバケーブルの光ファイバの先端に取り付けられた第２光コネクタを挿入して接続することで、第１の光ファイバケーブルの光ファイバと第２の光ファイバケーブルの光ファイバとを光接続できるように構成され、前記ケース積層体は、ケース積層体を構成する全ての光コネクタモジュール及び余長収納ケースに連通する渡り配線空間を内部に具備し、この渡り配線空間に、光コネクタモジュールと余長収納ケースとの間にわたって配線される光ファイバが通されていることを特徴とする光クロージャを提供する。
請求項２に係る発明は、第１の光ファイバケーブルから引き出された光ファイバに、光コネクタが先端に取り付けられている光ファイバであるコネクタ付き光ファイバのピグテイル光ファイバが接続され、前記コネクタ付き光ファイバの先端の光コネクタが前記第１光コネクタとして機能することを特徴とする請求項１記載の光クロージャを提供する。
請求項３に係る発明は、前記余長収納ケースが、第１の光ファイバケーブルから引き出された光ファイバと前記コネクタ付き光ファイバとの接続部を余長とともに収納するものであることを特徴とする請求項２記載の光クロージャを提供する。
請求項４に係る発明は、前記クロージャスリーブ内に、連結棒と、該連結棒の長手方向両端に取り付けられ、クロージャスリーブの対向する両側のケーブル導入穴から引き込まれる第１、第２の光ファイバケーブルを把持固定するケーブル固定具とを具備してなる連結ユニットが収納され、前記ケース積層体が、前記連結棒上に取り付けられていることを特徴とする請求項１〜３のいずれかに記載の光クロージャを提供する。
請求項５に係る発明は、前記ケース積層体は、前記連結棒上に１又は複数を積層して設けられた前記余長収納ケースの上に、１又は複数の前記光コネクタモジュールが設けられていることを特徴とする請求項４記載の光クロージャを提供する。
請求項６に係る発明は、前記光コネクタアダプタが、前記光コネクタモジュールの対向する両側の側壁部に実装されていることを特徴とする請求項１〜５のいずれかに記載の光クロージャを提供する。
請求項７に係る発明は、さらに、第２の光ファイバケーブルがドロップケーブルであり、このドロップケーブルの余長を巻いた状態で保持する余長処理部材（７）が、前記クロージャスリーブの内部に設けられていることを特徴とする請求項１〜６のいずれかに記載の光クロージャを提供する。
請求項８に係る発明は、前記余長処理部材が、前記ドロップケーブルの余長を巻き付けて湾曲処理するものであることを特徴とする請求項７記載の光クロージャを提供する。
請求項９に係る発明は、最上段の余長収納ケース上にて、前記連結棒の長手方向に沿った中央部に、前記光コネクタモジュールが積層され、ドロップケーブルである第２の光ファイバケーブルの余長を湾曲処理して吸収するための余長処理部材が、前記最上段の余長収納トレー上に、前記光コネクタモジュールを介して前記連結棒の長手方向に沿った両側に対向配置して設けられていることを特徴とする請求項５記載の光クロージャを提供する。
請求項１０に係る発明は、光ファイバケーブルに組み立てられた光クロージャに、ドロップケーブルを導入して、前記光ファイバケーブル側の光ファイバと接続する光ケーブル分岐方式であって、前記光クロージャが、請求項１〜９のいずれかに記載の光クロージャであり、第２の光ファイバケーブルがドロップケーブルであり、前記光クロージャの前記トレー積層体の光コネクタモジュールに実装されている光コネクタアダプタに、前記光コネクタモジュールの内側から、前記光ファイバケーブル側の光ファイバをコネクタ接続可能に成端する光コネクタを接続しておき、前記ドロップケーブルの先端に取り付けた光コネクタを前記光コネクタアダプタに挿入して、前記光ファイバケーブル側の光ファイバ先端の光コネクタと接続することで、光ファイバケーブル側の光ファイバにドロップケーブルが接続されて、光ファイバケーブルにドロップケーブルが分岐接続されることを特徴とする光ケーブル分岐方式を提供する。
請求項１１に係る発明は、光ファイバケーブルに組み立てられた光クロージャに、ドロップケーブルを導入して、前記光ファイバケーブル側の光ファイバと接続する光ケーブル分岐方式であって、前記光クロージャが、請求項７〜９のいずれかに記載の光クロージャであり、第２の光ファイバケーブルがドロップケーブルであり、前記光クロージャの前記トレー積層体の光コネクタモジュールに実装されている光コネクタアダプタに、前記光コネクタモジュールの内側から、前記光ファイバケーブル側の光ファイバをコネクタ接続可能に成端する光コネクタを接続しておき、前記ドロップケーブルの先端に取り付けた光コネクタを前記光コネクタアダプタに挿入して、前記光ファイバケーブル側の光ファイバ先端の光コネクタと接続することで、光ファイバケーブル側の光ファイバにドロップケーブルが接続されて、光ファイバケーブルにドロップケーブルが分岐接続されるように構成され、さらに、前記光コネクタアダプタにて前記光ファイバケーブル側の光ファイバとコネクタ接続した前記ドロップケーブルの余長を巻いた状態で前記余長処理部材に保持して、前記光クロージャ内に収納できることを特徴とする光ケーブル分岐方式を提供する。
【発明の効果】
【０００６】
本発明によれば、光コネクタモジュールの光コネクタアダプタに、第２の光ファイバケーブル（本発明に係る光ケーブル分岐方式ではドロップケーブル）の光ファイバの先端の第２光コネクタを挿入して接続するだけで、第２の光ファイバケーブルの光ファイバと第１の光ファイバケーブルの光ファイバとの光接続を極めて簡単に実現できる。
第２の光ファイバケーブルの増設に備えて、第１の光ファイバケーブルの光ファイバをコネクタ接続可能に成端する光コネクタをモジュールケース内側から光コネクタアダプタに接続して組み立てられた光コネクタモジュールを、クロージャスリーブに収納しておくことで、第２の光ファイバケーブルの増設にあたり、現場での光ファイバ同士の融着接続作業を無くすことが可能であり、増設作業を極めて簡単に短時間で行える。
光コネクタアダプタを実装した光コネクタモジュールの採用は、クロージャスリーブ内における光コネクタアダプタの高密度実装に適している。一つの光コネクタモジュールに実装する光コネクタアダプタの数、又は、光コネクタアダプタを実装した光コネクタモジュールの収納数によって、多数回線の接続に対応できる。
光コネクタモジュールにおける光コネクタアダプタの実装位置を区分けすることにより、一つの光コネクタモジュールで多数の回線の接続を、整理して、効率良く実現することが可能である。
また、本発明では、光コネクタモジュールと余長収納ケースとの間にわたって配線される光ファイバが通される渡り配線空間を内部に具備するケース積層体を採用しているため、ケース積層体の外側に、光コネクタモジュールと余長収納ケースとの間の光ファイバの配線用のスペースを確保する必要が無い。クロージャスリーブ内に、第１の光ファイバケーブル側の光ファイバ（第１の光ファイバケーブルから第１光コネクタまでの光線路を構成する光ファイバ）を引き回すスペースを確保する必要が無いため、省スペース化することができ、クロージャスリーブ、ひいては、光クロージャ全体の小型化を実現できる。光コネクタモジュールが複数積層されているケース積層体、あるいは、余長収納ケースが複数積層されているケース積層体を採用した場合は、渡り配線空間を、複数の光コネクタモジュールあるいは複数の余長収納ケースに対して、第１の光ファイバケーブル側の光ファイバを振り分け配線するためのスペースとして活用できるため、省スペース化の効果が大きい。また、第１の光ファイバケーブル側の光ファイバ（第１の光ファイバケーブルから第１光コネクタまでの光線路を構成する光ファイバ）が、光コネクタモジュールの光コネクタアダプタに対する、第２の光ファイバケーブルの光ファイバのコネクタ接続、接続切替、接続解除といった作業の障害になるといった不都合を回避できるため、コネクタ接続、接続切替、接続解除といった作業の作業性を向上できる。
【発明を実施するための最良の形態】
【０００７】
以下、本発明を実施した実施形態について、図面を参照して説明する。
図１は、本発明に係る光クロージャ１を示す分解斜視図、図２（ａ）、（ｂ）は前記光クロージャ１のクロージャスリーブ２の端面板を示す図、図３は前記光クロージャ１の内部ユニット３（後述）を示す正面図、図４は前記内部ユニット３を示す平面図である。
なお、以下、図１、図２、図３において上側を「上」、下側を「下」として説明する。
この光クロージャ１によって、本発明に係る光ケーブル分岐方式も具現化されている。
【０００８】
図１、図３、図４に示すように、前記光クロージャ１は、該光クロージャ１の外装ケースとして機能するクロージャスリーブ２と、このクロージャスリーブ２内に収納される内部ユニット３とで概略構成されている。
ここで説明する光クロージャ１は、架空布設される光ファイバケーブル４（主ケーブル。第１の光ファイバケーブル）からドロップケーブル５（第２の光ファイバケーブル）を分岐する分岐用の光クロージャである。
ドロップケーブル５は、例えば、光ファイバ素線等の光ファイバを該光ファイバと並列に配置した抗張力線（抗張力繊維等）とともに、樹脂被覆中に埋設固定して一体化したものであり、１心あるは数心程度の、少心の細い光ファイバケーブルである。また、このドロップケーブル５は、手で湾曲変形させることができる程度の柔軟性を有する。
光ファイバケーブル４は、ドロップケーブル５よりも心数が多く、かつ、ドロップケーブル５よりも太いものである。
【０００９】
まず、内部ユニット３について説明する。
この内部ユニット３は、連結棒３１と、該連結棒３１の長手方向両端に取り付けられたケーブル固定具３２（主ケーブル固定具）及びドロップケーブル固定具３３（ケーブル固定具）と、前記連結棒３１上に取り付けて設置されたケース積層体３４とを具備して構成されている。
【００１０】
クロージャスリーブ２の軸方向両端部（具体的には、端面板２２）には、該クロージャスリーブ２内に光ファイバケーブル４を導入するためのケーブル導入孔２２ａ（図２（ａ）等参照）と、ドロップケーブル５を導入するためのドロップケーブル導入孔２２ｂ（ケーブル導入孔）とが形成されている。
内部ユニット３のケーブル固定具３２は、ケーブル導入孔２２ａから導入された光ファイバケーブル４を把持固定するものである。
ドロップケーブル固定具３３は、ドロップケーブル導入孔２２ｂから導入されたドロップケーブル５を把持固定するものである。
【００１１】
図５に示すように、図示例の内部ユニット３のドロップケーブル固定具３３は、ドロップケーブル５が嵌め込まれるスリット状の嵌め込み溝３３１が側面３３２に複数配列形成されたブロック状の部材である。嵌め込み溝３３１は、前記側面３３２からドロップケーブル固定具３３に切り込まれた形状であり、ドロップケーブル５を側面３３２から嵌め込み溝３３１に押し込むようにして嵌め込んで固定できる。また、ドロップケーブル固定具３３の側面３３２には、該側面３３２における嵌め込み溝３３１の開口部を塞ぐ着脱自在のカバー３３３（図１参照）が装着される。
【００１２】
図３に示すように、連結棒３１は、ケース積層体３４が載せられる細長形状の連結棒本体３１１と、この連結棒本体３１１の長手方向両端に固定され、連結棒本体３１１を延長するようにして延出する端部部品３１２とを具備しており、全体として細長形状になっている。連結棒本体３１１及び端部部品３１２は、いずれも、金属等の剛性の高い部材で形成されている。ケーブル固定具３２及びドロップケーブル固定具３３は、具体的には、端部部品３１２に固定されている。
連結棒３１は、長手方向両端のケーブル固定具３２間を連結するとともに、該連結棒３１に固定された各ドロップケーブル固定具３３にドロップケーブル５から作用する引っ張り力等の外力を負担する。
【００１３】
図示例の光クロージャ１では、光ファイバケーブル４が、クロージャスリーブ２に引き通され、クロージャスリーブ２内で、内部ユニット３の連結棒３１に沿って延在されている。内部ユニット３の両端のケーブル固定具３２は、クロージャスリーブ２に引き通された光ファイバケーブル４の長手方向に異なる２箇所を把持固定する機能を果たしている。
但し、内部ユニット３の両端のケーブル固定具３２は、クロージャスリーブ２に引き通された光ファイバケーブル４の把持固定に限定されず、クロージャスリーブ２の軸方向両端のケーブル導入孔２２ａからそれぞれ個別に引き込まれた光ファイバケーブル４の個別の把持固定、に利用可能であることも言うまでも無い。
【００１４】
連結棒３１と、ケーブル固定具３２と、ドロップケーブル固定具３３とは、クロージャスリーブ２内に導入された光ファイバケーブル（光ファイバケーブル４及びドロップケーブル５）を固定する連結ユニット３５を構成している。この連結ユニット３５は、クロージャスリーブ２の内面形状によって、クロージャスリーブ２内の所定位置に収納される。
【００１５】
（ケース積層体）
ケース積層体３４は、連結棒３１上に取り付けられた余長収納ケース３６と、この余長収納ケース３６上に積層された光コネクタモジュール３７とで構成されている。
【００１６】
図６に示すように、余長収納ケース３６には、光ファイバケーブル４から引き出された光ファイバ４１が引き込まれる。余長収納ケース３６は、光ファイバケーブル４の光ファイバ４１の余長収納等に用いられる。
光コネクタモジュール３７は、光ファイバケーブル４側の光ファイバ（ここでは、具体的には図６のコネクタ付き光ファイバ４２）と、ドロップケーブル５の光ファイバとをコネクタ接続するための光コネクタアダプタ３７１を、薄形ケースであるモジュールケース３７２（筐体）に実装したものである。
【００１７】
前記光コネクタアダプタ３７１には、光ファイバケーブル４側の光ファイバをコネクタ接続可能に成端する光コネクタ４３（光コネクタプラグ）が、モジュールケース３７２の内側から挿入して接続されている。この光コネクタ４３は、本発明に係る第１光コネクタとして機能する。
ここで、「コネクタ接続可能に成端」の語（以下、コネクタ成端、とも言う）は、光ファイバの先端に光コネクタ（光コネクタプラグ）を取り付けた状態にすることを意味する。但し、本明細書では、光ファイバの一端に、予め光コネクタ（光コネクタプラグ）が取り付けられているコネクタ付き光ファイバ４２を、融着接続等によって接続することも含むものとする。
【００１８】
コネクタ付き光ファイバ４２を光ファイバ４１に接続する場合は、コネクタ付き光ファイバ４２の一端の光コネクタ（以下、符号４３を付して説明する）が本発明に係る第１光コネクタとして機能する。光ファイバケーブル４から引き出した光ファイバ４１には、コネクタ付き光ファイバ４２の光コネクタ４３から延びるピグテイル光ファイバが融着接続等によって接続される。
【００１９】
この光クロージャ１では、該光クロージャ１（クロージャスリーブ２）内に引き込まれたドロップケーブル５の先端に取り付けた光コネクタ６（光コネクタプラグ）を、光コネクタモジュール３７の外から、光コネクタアダプタ３７１に挿入して接続することで、光コネクタアダプタ３７１内で、光ファイバケーブル４側の光ファイバとドロップケーブル５の光ファイバとがコネクタ接続される。これにより、光ファイバケーブル４側の光回線に対するドロップケーブル５の光接続が実現される。
前記光コネクタ６は、本発明に係る第２光コネクタとして機能する。
【００２０】
図６は、光ファイバケーブル４側の光ファイバに係る配線の一例を示す。
図６において、光ファイバケーブル４のケーブル外皮から露出させた光ファイバ４１は、余長収納ケース３６に引き込まれ、一端に光コネクタ４３が取り付けられているコネクタ付き光ファイバ４２の他端と融着接続されている。余長収納ケース３６には、光ファイバ４１、４２同士の融着接続部４４（接続部）と、光ファイバ４１、４２の余長４１ａ、４２ａとが収納される。
コネクタ付き光ファイバ４２の一端側は、光コネクタモジュール３７のモジュールケース３７２に引き込まれる。コネクタ付き光ファイバ４２の光コネクタ４３は、モジュールケース３７２内側から、光コネクタモジュール３７の光コネクタアダプタ３７１に接続される。
【００２１】
図７は、光ファイバケーブル４の光ファイバ４１が多心光ファイバテープ心線（図７では４心）である場合の具体例を示す光配線図である。
コネクタ付き光ファイバ４２は、多心光ファイバテープ心線である多心光ファイバ部４２１と、この多心光ファイバ部４２１の片端に設けられた分岐部４２２から分岐された複数本（図７では４本）の分岐光ファイバ部４２３とを具備する分岐接続用の光ファイバである（以下、このコネクタ付き光ファイバ４２を、分岐接続用光ファイバとも言う）。この分岐接続用光ファイバ４２の各分岐光ファイバ部４２３の分岐部４２２から延びる先端は、それぞれ、光コネクタ４３によってコネクタ接続可能に成端されている。
分岐光ファイバ部４２３は、多心光ファイバ部４２１を分割したものである。複数本の分岐光ファイバ部４２３の合計心数は多心光ファイバ部４２１の心数と同じである。
【００２２】
分岐接続用光ファイバ４２の分岐部４２２及び各分岐光ファイバ部４２３は、光コネクタモジュール３７のモジュールケース３７２内に収納される。各分岐光ファイバ部４２３の先端の光コネクタ４３は、モジュールケース３７２内側から、光コネクタアダプタ３７１に接続される。
なお、図７中仮想線で示すように、分岐接続用光ファイバ４２の多心光ファイバ部４２１には、補強チューブ４２４を被せておくことが好ましい。補強チューブ４２４は、図９（ｂ）、図１０（ａ）にも、図示している。
【００２３】
図７に例示した分岐接続用光ファイバ４２は、多心光ファイバ部４２１と、この多心光ファイバ部４２１から単心分岐された複数本の分岐光ファイバ部４２３とを具備する構成である。分岐接続用光ファイバ４２は、多心光ファイバ部４２１の心数が、光ファイバ４１と同じものを採用することが好ましい。
図７に例示した分岐接続用光ファイバ４２は、４心の多心光ファイバ部４２１と、単心光ファイバ心線である４本の分岐光ファイバ部４２３とを備えている。但し、多心光ファイバ部４２１の心数、及び、分岐光ファイバ部４２３の本数は、適宜、決めることができることは言うまでも無い。
分岐光ファイバ部４２３先端に取り付けられる光コネクタ４３は、単心用の光コネクタプラグであり、例えば、ＪＩＳ  Ｃ  ５９７３に制定されるＳＣ形光コネクタ（ＳＣ:Single fiber Coupling optical fiber connector）や、ＪＩＳ  Ｃ  ５９８３に制定されるＭＵ形光コネクタ（ＭＵ:Miniature-Unit coupling optical fiber connector）等を採用できる。
【００２４】
光ファイバケーブル４の光ファイバ４１の先端には、分岐接続用光ファイバ４２の多心光ファイバ部４２１（詳細には、多心光ファイバ部４２１の分岐部４２２とは逆側の端部）が融着接続される。これにより、光ファイバケーブル４の多心の光ファイバ４１が、分岐接続用光ファイバ４２の複数本の分岐光ファイバ部４２３に分岐される。
【００２５】
（余長収納ケース）
図１〜図４に示すように、図示例のケース積層体３４の余長収納ケース３６は、細長形状の薄形容器であり、長手方向を連結棒３１の長手方向に揃えて連結棒３１上に設けられる。図示例の光クロージャ１では、連結棒３１上に複数（図示例では２つ）の余長収納ケース３６を積層状態に設けている。但し、連結棒３１上に設置する余長収納ケース３６の数は、１つでも良い。
【００２６】
余長収納ケース３６としては、例えば図８に示すように、トレーを採用できる。
余長収納ケース３６の側壁部には、光ファイバケーブル４の光ファイバ４１を引き込むための光ファイバ挿通口３６ａが設けられている。
図８において、積層された複数の余長収納ケース３６は、隣り合う余長収納ケース３６の間が、ヒンジ３８によって連結されており、余長収納ケース３６のヒンジ３８を中心とする回転で、隣り合う余長収納ケース３６の間を開閉できる。隣り合う余長収納ケース３６の間を開放することで（図８中、仮想線参照）、所望の余長収納ケース３６の作業面３６１を開放でき、余長収納ケース３６内への光ファイバ等の収納、余長収納ケース３６からの光ファイバ等の取り出し、といった作業を行える。余長収納ケース３６を積層状態に戻せば、隣り合う余長収納ケース３６の間が閉じ合わされて、光ファイバ等を内部に収納した状態を維持できる。また、積層の最上段の余長収納ケース３６（積層された複数の余長収納ケース３６の内、連結棒３１から最も遠い位置にあるもの）については、閉塞用の蓋板３６２を取り付けてある。この蓋板３６２は、余長収納ケース３６を開閉可能であることが好ましい。
【００２７】
なお、ケース積層体３４は、該ケース積層体３４を構成する余長収納ケース３６が、個別に開閉できるようになっていれば良く、余長収納ケース３６同士をヒンジ３８で回転可能に連結した構成に限定されない。例えば、隣り合う余長収納ケース３６を、係合爪の係脱可能な係合によって、離脱可能に連結した構成等、様々な連結構造を採用できる。
但し、ケース積層体３４の余長収納ケース３６は、光ファイバケーブル４の光ファイバ４１及びコネクタ付き光ファイバ４２の余長や、光ファイバ４１、４２同士の融着接続部４４を収納した後、例えば、図１に示すように、固定具３６３を用いて連結棒３１に固定することが好ましい。図１に例示した固定具３６３は、ケース積層体３４の複数の余長収納ケース３６を内側に収納する概略門形の枠体であり、締結部品（図示略）によって連結棒３１に固定されることで、ケース積層体３４の複数の余長収納ケース３６を連結棒３１に一括固定する。締結部品による連結棒３１に対する固定を解除すれば、各余長収納ケース３６の開閉（例えば、前述のヒンジ３８を中心とする回転による開閉）が可能となる。
また、余長収納ケース３６としては、トレー状に限定されない。例えば、開閉可能な蓋板を有する余長収納ケース３６のみを複数積層することも可能である。
【００２８】
（光コネクタモジュール）
図９（ａ）、（ｂ）、図１０（ａ）、（ｂ）等に示すように、光コネクタモジュール３７は、具体的には、薄形ケースであるモジュールケース３７２の対向する一対の側壁部３７３ａ、３７３ｂに、それぞれ光コネクタアダプタ３７１を複数実装した構成である。
この光コネクタモジュール３７は、全体として、外観薄板状に形成されており、ケース積層体３４の最上段の余長収納ケース３６上に積層されている。この光コネクタモジュール３７は、余長収納ケース３６上に積み重ねるようにして、複数設けることができる。図１〜図３、図８に示した例では、最上段の余長収納ケース３６上に、２つの光コネクタモジュール３７を積み重ねるようにして積層した構成を例示している。
【００２９】
図１０（ａ）、（ｂ）に示すように、モジュールケース３７２は、トレー状のケース本体３７４と、このケース本体３７４に着脱可能な蓋板３７５とを有する。蓋板３７５は、ケース本体３７４の外周面（外周壁３７４ｂの外面）に形成された係止部３７４ａに係脱可能な係合片３７５ａ（弾性爪）を有しており、この係止部３７４ａと係合片３７５ａとの係脱によって、ケース本体３７４に対して着脱できる。
なお、このモジュールケース３７２において、光コネクタアダプタ３７１が実装されている一対の側壁部３７３ａ、３７３ｂは、ケース本体３７４の底板３７４ｃの外周部に立設されている外周壁３７４ｂの一部である。図示例のモジュールケース３７２は、外観長方形（正方形を含む）板状の薄形ケースであり、ケース本体３７４に長方形枠状に形成された外周壁３７４ｂの４辺の壁部の内、モジュールケース３７２の内部空間Ｓを介して丁度対面する一組の壁部が、光コネクタアダプタ３７１が実装されている一対の側壁部３７３ａ、３７３ｂとして機能する。
【００３０】
この光コネクタモジュール３７は、対向する両側に光コネクタアダプタ３７１が、それぞれ、クロージャスリーブ２の軸方向両端部に対面する向きで設けられる。これにより、クロージャスリーブ２の軸方向両端部からのドロップケーブル５の導入、光ファイバケーブル４側の光線路との接続に、容易に対応できるといった利点がある。また、光コネクタアダプタ３７１の実装数を多く確保することができるといった利点もある。
【００３１】
前述したように、光コネクタモジュール３７の光コネクタアダプタ３７１には、光ファイバケーブル４側の光ファイバをコネクタ接続可能に成端する光コネクタ４３（光コネクタプラグ）が、モジュールケース３７２の内側から接続されている。
モジュールケース３７２には、コネクタ付き光ファイバ４２の内、光コネクタ４３から延びるピグテイル部分（具体的には、分岐接続用光ファイバ４２の多心光ファイバ部４２１）を、該モジュールケース３７２の外に引き出すための光ファイバ挿通窓３７６（図６参照）が開口されている。
この光ファイバ挿通窓３７６は、具体的には、光コネクタモジュール３７のモジュールケース３７２の底板３７４ｃと、光コネクタモジュール３７の蓋板３７５とに形成されている。モジュールケース３７２の底板３７４ｃの光ファイバ挿通窓３７６（区別のため、３７６ａを付す）と、蓋板３７５の光ファイバ挿通窓３７６（区別のため、符号３７６ｂを付す）とは、光コネクタモジュール３７の内部空間Ｓを介して丁度対応する位置で、底板３７４ｃと蓋板３７５とに開口されている。
【００３２】
余長収納ケース３６上に設けられる光コネクタモジュール３７は、固定具によって、連結棒３１又は余長収納ケース３６に固定される。
図８に示す図示例のケース積層体３４では、固定具３７７として、最上段の光コネクタモジュール３７上から、余長収納ケース３６上の全ての光コネクタモジュール３７に貫通させて、最上段の余長収納ケース３６の蓋板３６２に取り付けられたナット３６７にねじ込まれる締結ボルトを採用している（以下、この固定具を、締結ボルトとも言う）。
なお、図示例のケース積層体３４では、ナット３６７は、蓋体３６２の内面側（余長収納ケース３６の内部空間に臨む側）に取り付けられており、締結ボルト３７７は、蓋体３６２に形成されているボルト孔に貫通させてナット３６７にねじ込まれるようになっている。
【００３３】
前記締結ボルト３７７は、ナット３６７へのねじ込みによる締結力によって、最上段の光コネクタモジュール３７を最上段の余長収納ケース３６の蓋板３６２に押し付けるようにして、余長収納ケース３６上の全ての光コネクタモジュール３７を、最上段の余長収納ケース３６の蓋板３６２に固定する。これにより、全ての光コネクタモジュール３７が、連結棒３１に固定された余長収納ケース３６を介して、連結棒３１に対して固定することができる。締結ボルト３７７を回転操作してナット３６７から抜き出せば、光コネクタモジュール３７を余長収納ケース３６上から離脱させることができる。なお、締結ボルト３７７は、各光コネクタモジュール３７のケース本体３７４から内部空間Ｓ内に突設されたボルト挿通スリーブ３７８内に挿通されるため、光コネクタモジュール３７内の光ファイバと接触しないようになっている。
【００３４】
余長収納ケース３６や光コネクタモジュール３７を連結棒３１に対して固定するための固定具としては、上述したものに限定されず、例えば、ケース積層体３４の外側に巻き掛けて、ケース積層体３４全体を連結棒３１に一括固定する結束ベルト等も採用可能である。
なお、この固定具としては、余長収納ケース３６及び光コネクタモジュール３７の連結棒３１に対する固定を解除できるものを採用することが好ましい。
【００３５】
（渡り配線空間）
図８に示すように、光コネクタモジュール３７のみならず、トレー状の各余長収納ケース３６の底板３６４にも、光ファイバ挿通窓３６５が開口されている。また、最上段の余長収納ケース３６に装着される蓋板３６２にも、底板３６４の光ファイバ挿通窓３６５に対応する位置に、光ファイバ挿通窓３６６が開口されている。余長収納ケース３６の光ファイバ挿通窓３６５、３６６も、コネクタ付き光ファイバ４２を通すことができるものである。
図示例のケース積層体３４は、該ケース積層体３４の全ての余長収納ケース３６の光ファイバ挿通窓３６５、３６６と、全ての光コネクタモジュール３７の底板３７４ｃ及び蓋板３７５に形成された光ファイバ挿通窓３７６とによって、ケース積層体３４を構成する全てのケース（余長収納ケース３６及び光コネクタモジュール３７）に連通する渡り配線空間３４１を、内部に具備している。この渡り配線空間３４１は、ケース積層体３４の上下方向（図８上下方向）に延在している。
【００３６】
光コネクタモジュール３７と余長収納ケース３６との間にわたって配線される光ファイバ（ここではコネクタ付き光ファイバ４２）は、この渡り配線空間３４１に通される。
したがって、このケース積層体３４では、光コネクタモジュール３７と余長収納ケース３６との間にわたって配線される渡り配線（光ファイバ）が、該ケース積層体３４の内部に収納され、ケース積層体３４の外に配線されることが無い。このため、ケース積層体３４の外に、渡り配線の配線スペースを確保したり、渡り配線を振動しないように固定する固定具等を設ける必要が無く、クロージャスリーブ２内の空間を有効利用できる。結局、光コネクタモジュール３７と余長収納ケース３６との間の渡り配線（光ファイバ）の引き回しを、ケース積層体３４の外に配線する場合に比べて簡単に行える。クロージャスリーブ２を小型化できる、といった利点もある。
【００３７】
（余長処理部材）
ケース積層体３４の最上段の余長収納ケース３６の上には、ドロップケーブル５の余長５２を湾曲処理して吸収するための余長処理部材７が設けられている。
図１、図３、図４等に例示した余長処理部材７は、リング状に形成されたマンドレルであり、ドロップケーブル５の余長５２を外周面に巻き付けて湾曲処理するものである。
細長形状の余長収納ケース３６（最上段の余長収納ケース）上には、光コネクタモジュール３７と一対の余長処理部材７とが、光コネクタモジュール３７の両側に余長処理部材７が配置されるようにして、該余長収納ケース３６の長手方向に沿って配列して設けられている。つまり、一対の余長処理部材７は、最上段の余長収納ケース３６の長手方向において、余長収納ケース３６の長手方向中央部に設置された光コネクタモジュール３７の両側となるように配置される。
【００３８】
余長処理部材７は、最上段の余長収納ケース３６上の蓋板３６２に固定状態になっている。この余長処理部材７は、ここでは、合成樹脂製の蓋板３６２に一体成形されたものである（余長処理部材付き蓋板の一部になっている）。
また、余長処理部材７は、余長収納ケース３６（蓋板３６２を含む）とは別体のもの採用し、ねじ等の固定部材を用いて最上段の余長収納ケース３６上に固定しても良い。
【００３９】
この実施形態に示した光クロージャ１の余長処理部材７は、ケース積層体３４の一部である。クロージャスリーブ２を組み立てて、クロージャスリーブ２内に内部ユニット３を収納すると、余長処理部材７及び該余長処理部材７に巻き付けたドロップケーブル５の余長５２もクロージャスリーブ２内に収納される。
従来、架空設置された光クロージャに導入したドロップケーブルの余長は、リング状に巻くなどして、光クロージャの外側に確保することが一般的である。このため、光ファイバ同士の融着接続等の光クロージャの内部についての作業の他に、光クロージャの外側でのドロップケーブルの余長処理作業が発生し、これらの作業を、足場の悪い高所作業で行わねばならない。高所作業用のバケットの移動が必要になる場合もあり、作業に手間が掛かる。
これに対して、本発明に係る光クロージャ１では、導入したドロップケーブル５の余長を、余長処理部材７への巻き付けによって簡単に湾曲処理できる。しかも、余長処理部材７は、クロージャスリーブ２内に収納される内部ユニット３の一部であるため、ドロップケーブル５の余長の余長処理部材７への巻き付け作業のために、高所作業用のバケットを移動させるといった手間を無くすことができる、といった利点がある。
【００４０】
さらに、余長処理部材７の設置形態としては、例えば、連結棒３１上に立設した取付台に取り付けたり、連結棒３１に直接取り付ける、といった設置形態を採用することも可能である。
余長処理部材７を連結棒３１に直接又は間接的に取り付ける設置形態では、余長処理部材７は、ケース積層体３４の一部では無いが、クロージャスリーブ２内に収納される内部ユニット３の一部であり、クロージャスリーブ２を組み立てたときにクロージャスリーブ２の内部に収納される。
【００４１】
なお、余長処理部材７としては、ドロップケーブル５の余長５２を巻き付けて湾曲処理するものに限定されず、例えば、コイル状に巻くなどして湾曲処理したドロップケーブル５の余長５２を内側に収納して湾曲状態を維持する容器状のものであっても良い。例えば、図１等に例示したリング状の余長処理部材７と同様にリング状に形成して、コイル状に巻いて湾曲処理したドロップケーブル５の余長を収納する内側空間を有する構造の余長処理部材等であっても良い。また、外観箱形等のケース状のものであっても良い。
【００４２】
（集合保持部品）
図１、図３、図４において、符号３１３は、ドロップケーブル５用の集合保持部品である。この集合保持部品３１３は、クロージャスリーブ２の軸方向両端部から引き込まれる複数本のドロップケーブル５を集合保持するリング状に形成されている。
図示例の光クロージャ１において、集合保持部品３１３は、ドロップケーブル固定具３３と余長処理部材７との間に配置されており、複数本のドロップケーブル５を集合保持して、クロージャスリーブ２内におけるドロップケーブル５の引き回し用スペースを縮小する役割を果たす。
図示例の光クロージャ１では、集合保持部品３１３は、連結棒３１に取り付けているが、例えば、端面板２２あるいはドロップケーブル固定具３３から突設した取付台に取り付ける、といった設置形態を採用することも可能である。
【００４３】
（ドロップケーブル用光コネクタ）
ドロップケーブル５の先端をコネクタ接続可能に成端する光コネクタ６としては、現場（光クロージャ１の設置場所あるいはその付近）で、ドロップケーブル５の先端に簡単に取り付けることができるものを採用することが好ましい。
図１１（ａ）〜（ｃ）は、光コネクタ６の一例を示す。
図１１（ａ）に示すように、光コネクタ６は、光コネクタ本体６１と、ドロップケーブル５の先端部を把持固定し、前記光コネクタ本体６１に組み付けられる引き留め部材６２（構造の詳細は図１２参照）とを具備して構成されている。
【００４４】
光コネクタ本体６１は、フェルール６３と後述のクランプ部６４とからなるクランプ部付きフェルール６５を、スリーブ状のハウジング６６の内側に収納した構造になっている。
【００４５】
フェルール６３は、該フェルール６３を貫通する微細孔６３２を有している。前記微細孔６３２内には、光ファイバ６７（裸光ファイバ。以下、内蔵光ファイバとも言う）が内挿固定されている。
内蔵光ファイバ６７の先端は、フェルール６３先端の、突き合わせ接続用の接合端面６３１に露出されている。また、内蔵光ファイバ６７の後端（先端とは逆の端部）は、フェルール６３の後端（接合端面６３１とは反対側）から突出されて、フェルール６３の後端側に組み立てられているクランプ部６４の二つ割り構造の素子６４１、６４２の間に挿入されている。
【００４６】
内蔵光ファイバ６７のフェルール６３後端から突出した部分は、素子６４１、６４２同士の合わせ面６４１ａ、６４２ａの一方又は両方に形成されている調心溝６４３（図１１（ｃ）参照）に配置されている。前記調心溝６４３は、前記内蔵光ファイバ６７と、クランプ部６４の後端側（フェルール６３とは逆の側）から素子６４１、６４２間に挿入される、ドロップケーブル５の光ファイバ５１先端の裸光ファイバ５１ａとを、突き合わせ接続可能に高精度に調心する機能を果たすものである。この調心溝６４３としては、例えばＶ溝、丸溝（断面半円形の溝）、Ｕ溝等を採用できる（図１１（ｃ）ではＶ溝）。
この調心溝６４３は、フェルール６３の後端から、クランプ部６４の後端（クランプ部６４においてフェルール６３とは逆の側の端部）に向かって、クランプ部６４の前後方向（図１１（ａ）、（ｂ）左右）の中央部まで延在形成されている。
なお、図示例の光コネクタ６では、調心溝６４３は、一対の素子６４１、６４２の内、フェルール６３に固定されているベース側素子６４１の合わせ面６４３ａに形成されている。
【００４７】
内蔵光ファイバ６７のフェルール６３後端から突出した部分は、調心溝６４３のフェルール６３側の端部から調心溝６４３の長手方向中央部にわたって配置される。調心溝６３４は、フェルール６３を貫通する微細孔６３２の延長上に形成されており、微細孔６３２の調心軸線の延長上に、内蔵光ファイバ６７を調心して位置決め支持できる。
クランプ部６４では、別途、クランプ部６４の後端側（フェルール６３とは逆側）から素子６４１、６４２間に挿入される、ドロップケーブル５の光ファイバ５１（詳細には、光ファイバ素線である光ファイバ５１の先端に露出させた裸光ファイバ５１ａ）と、内蔵光ファイバ６７とが、調心溝６４３にて精密に位置決め調心されて突き合わせ接続される。
【００４８】
また、素子６４１、６４２同士の合わせ面６４１ａ、６４２ａの一方又は両方には、素子６４１、６４２間に挿入されるドロップケーブル５の光ファイバ５１（裸光ファイバ５１ａが露出されていない被覆部）を収納する被覆部収納溝６４４が形成されている。
被覆部収納溝６４４は、調心溝６４３の、フェルール６３側とは逆側の端部から、クランプ部６４の後端側に延びている。また、この被覆部収納溝６４４は、裸光ファイバ６７、５１ａよりも太い、被覆付きの光ファイバ５１を収納するために、調心溝６４３を拡張した形状になっている。クランプ部６４の後端部には、被覆部収納溝６４４にドロップケーブル５の光ファイバ５１を挿入するための、被覆部収納溝６４４の開口部６４５が開口されている。この開口部６４５は、光ファイバ５１の挿入を容易にするために、テーパ状に形成されている。
【００４９】
クランプ部６４は、一対の素子６４１、６４２からなる二つ割り構造の素子部６４０と、この素子部６４０を内側に収納するスリーブ状のばね６４６とを具備して構成されている。
【００５０】
素子部６４０の一対の素子６４１、６４２の内の一方は、フェルール６３の後端部に固定されているベース側素子６４１である。他方の素子６４２は、ベース側素子６４１に対して開閉可能である。以下、素子６４２を、蓋側素子とも言う。
一対の素子６４１、６４２は、合わせ面６４１ａ、６４２ａ同士を合わせると、ロッド状となる。
【００５１】
ばね６４６は、一対の素子６４１、６４２間に挿入された光ファイバ（内蔵光ファイバ６７、ドロップケーブル５の光ファイバ５１（先端の裸光ファイバ５１ａを含む））を一対の素子６４１、６４２間にクランプするクランプ力を、一対の素子６４１、６４２に与える機能を果たす。
このばね６４６はスリーブ状であり、しかも、該ばね６４６の軸方向全長にわたって延在するスリット状の開口部６４７を有する断面コ字形あるいはＣ形（図示例（図１１（ｃ）参照）では断面コ字形）に形成されている。バネ６４６の開口部６４７は、素子部６４０の一対の素子６４１、６４２の閉じ合わせ境界６４０ａに位置合わせされている。ばね６４６は、開口部６４７を介して両側の部分が、素子部６４０に、一対の素子６４１，６４２を互いに押し付けるクランプ力を付与するように機能する。
なお、図１１（ｃ）では、一対の素子６４１、６４２を閉じ合わせたときに断面角形のロッド状となる素子部６４０を例示したが、素子部６４０としてはこれに限定されず、例えば、一対の素子６４１、６４２を閉じ合わせたときに断面円形、楕円形になるものであっても良い。
【００５２】
図１１（ｃ）に示すように、クランプ部６４の一対の素子６４１、６４２の間には、ばね６４６のクランプ力に抗して一対の素子６４１、６４２間が開放した状態を保つための、介挿部材６４８を割り込ませることができる。介挿部材６４８としては、例えば楔状のものや、板状のものが採用される。
図示例の光コネクタ６では、介挿部材６４８は、一対の素子６４１、６４２間に割り込ませてある（図１１（ｃ）以外の図では、介挿部材６４８の図示を省略してある）。この介挿部材６４８は、ばね６４６の開口部６４７からばね６４６の外側に突出されている。
但し、楔状等、先端が尖った形状の介挿部材６４８については、ばね６４６の開口部６４５から一対の素子６４１、６４２の間に挿脱することで、素子６４１、６４２間の開閉操作に用いることができる。
ばね６４６の開口部６４７に露出する素子部６４０の側面には、一対の素子６４１、６４２の間に介挿部材６４８を割り込ませるための窪みである介挿部材挿入口６４９が開口されている。この介挿部材挿入口６４９の形成位置は、丁度、一対の素子６４１、６４２の閉じ合わせ境界６４０ａに対応している。図１１（ｃ）に例示した介挿部材挿入口６４９は、両側の素子６４１、６４２にそれぞれ形成した窪みによって構成されているが、片側の素子に形成した窪みのみからなるものであっても良い。
【００５３】
図１１（ａ）、（ｂ）に示すように、クランプ部６４の蓋側素子６４２は、クランプ部６４の前後方向に配列された２つのピースからなる。以下、フェルール６３に近い側のピースに符号６４２ａ、このピース６４２ａよりもクランプ部６４の後端側に配置されているピースに符号６４２ｂを付して説明する。
フェルール６３側のピース６４２ａは調心溝６４３によって位置決めされた光ファイバを、ばね６４６の弾性によって、ベース側素子６４１との間にクランプする機能を果たすものである。ピース６４２ｂは、被覆部収納溝６４４によって位置決めされた光ファイバ５１（被覆部）を、ばね６４６の弾性によって、ベース側素子６４１との間にクランプする機能を果たすものである。クランプ部６４の前後方向において、フェルール６３側のピース６４２ａは調心溝６４３に対応する領域に設けられ、ピース６４２ｂは被覆部収納溝６４４に対応する領域に設けられている。
【００５４】
また、ばね６４６は、軸方向中央部に形成されたスリット６４６ａによって、それぞれ独立したばねとして機能する２つのクランプばね部６４６Ａ、６４６Ｂに２分されている。２つのクランプばね部６４６Ａ、６４６Ｂは、蓋側素子６４２の２つのピース６４２ａ、６４２ｂに対応して設けられている。このため、２つのピース６４２ａ、６４２ｂは、個別にベース側素子６４１に対して開閉可能であり、しかも、２つのクランプばね部６４６Ａ、６４６Ｂによって、クランプ力も、それぞれ個別に付与される。
ばね６４６において、スリット６４６ａは、開口部６４７から両側に切り込んだ形状に形成されている。但し、前記スリット６４６ａは、ばね６４６において、ばね６４６の内側に収納された素子部６４０を介して開口部６４７と対向する部分（背部６４６ｂ）には切り込まれない。背部６４６ｂは、２つのクランプばね部６４６Ａ、６４６Ｂを連結する連結部として機能する。
【００５５】
次に、引き留め部材６２について説明する。
図１２に示すように、引き留め部材６２は、ドロップケーブル５が嵌め込まれるケーブル嵌合溝６２１が形成されている引き留め部材本体６２２と、この引き留め部材本体６２２に重ね合わされるようにして装着される蓋板６２３とを具備している。
ケーブル嵌合溝６２１は、引き留め部材本体６２２において蓋板６２３が重ね合わされる上面６２４から窪んだ形状に形成されている。蓋板６２３は、引き留め部材本体６２に装着して固定されることで、引き留め部材本体６２２の上面６２４におけるケーブル嵌合溝６２１の開口部を塞ぎ、ケーブル嵌合溝６２１に嵌め込まれたドロップケーブル５のケーブル嵌合溝６２１から浮き上がりによる離脱を防ぐ。
【００５６】
引き留め部材６２は、ドロップケーブル５の先端に口出しした光ファイバ５１及び該光ファイバ５１先端に露出させた裸光ファイバ５１ａを、光コネクタ本体６１の後端側から、クランプ部付きフェルール６５のクランプ部６４の一対の素子６４１、６４２間に挿入する作業に用いられる。
引き留め部材６２は、光コネクタ本体６１の後端部（フェルール６３とは反対の側）に設けられた枠状の引き留め部材受け部６６１内に押し込んで、光コネクタ本体６１に組み付ける。ドロップケーブル５の先端に口出しした光ファイバ５１及び該光ファイバ５１先端に露出させた裸光ファイバ５１ａの、光コネクタ本体６１のクランプ部付きフェルール６５のクランプ部６４への挿入は、光コネクタ本体６１後端部の引き留め部材受け部６６１への引き留め部材６２の押し込みによって実現される（詳細は後述する）。
引き留め部材受け部６６１には、押し込まれた引き留め部材６２を保持して組み付け状態を維持するために、例えば、引き留め部材６２に係合する弾性爪などといった、保持手段を設けておくことが好ましい。
【００５７】
前記ケーブル嵌合溝６２１は、引き留め部材本体６２２の、光コネクタ本体６１の後端部に対する押し込み方向前側の前端壁６２５から、押し込み方向後側（前端壁６２５とは逆の側）に向かって延在し、引き留め部材６２の後端面６２６（図１１（ａ）参照）に開口されている。
前記前端壁６２５には、ケーブル嵌合溝６２１に嵌め込まれるドロップケーブル５の先端に口出しされた光ファイバ５１（ここでは光ファイバ素線）を通すためのスリット状の光ファイバ挿通溝６２７が形成されている。光ファイバ挿通溝６２７は、ケーブル嵌合溝６２１に連通されている。また光ファイバ挿通溝６２７は、ケーブル嵌合溝６２１に比べて、かなり狭く形成されている。前端壁６２５は、ケーブル嵌合溝６２１に嵌め込まれるドロップケーブル５の被覆部５３先端が引き留め部材本体６２２から突き出すことを規制するストッパ壁としての機能、及び、ケーブル嵌合溝６２１に対するドロップケーブル５の嵌め込み位置の目安としての機能、を果たす。
【００５８】
ケーブル嵌合溝６２１の内面には、該ケーブル嵌合溝６２１に嵌め込まれたドロップケーブル５の被覆部５３に食い込んで、ケーブル嵌合溝６２１の延在方向へのドロップケーブル５の位置ずれを規制する引き留め突起６２８が複数突設されている。これにより、ドロップケーブル５は、ケーブル嵌合溝６２１に圧入するだけで、引き留め突起６２８によって、しっかりと引き留められる。さらに、前述の蓋板６２３を引き留め部材本体６２２の上面６２４に重ね合わせて固定することで、ドロップケーブル５の先端部が引き留め部材６２にしっかりと固定される。
蓋板６２３と引き留め部材本体６２２との固定構造は、例えば、蓋板６２３及び引き留め部材本体６２２の一方又は両方に形成した係合爪による係合等が適している。
【００５９】
この光コネクタ６をドロップケーブル５先端に取り付け（組み立て）るには、まず、光ファイバ５１を口出ししたドロップケーブル５の先端に引き留め部材６２を組み立てて固定する。
ドロップケーブル５の先端（被覆部５３）は、前述したように、ケーブル嵌合溝６２１に嵌め込んで固定する。また、ドロップケーブル５先端に口出ししておいた光ファイバ５１は、引き留め部材本体６２２の前端壁６２５の光ファイバ挿通溝６２７に通して、引き留め部材本体６２２の前側に突出させておく。
なお、光ファイバ５１の先端には、裸光ファイバ５１ａを露出させておく。
【００６０】
次いで、引き留め部材６２を光コネクタ本体６１後端部の引き留め部材受け部６６１に押し込んで、引き留め部材受け部６６１に組み付ける。
このとき、引き留め部材６２の、光コネクタ本体６１後端部の引き留め部材受け部６６１への押し込みによって、引き留め部材６２から突出されている光ファイバ５１を、クランプ部付きフェルール６５の素子部６４０後端に開口する被覆部収納溝６４４の開口部６４５から、被覆部収納溝６４４に挿入する。また、この押し込みにより、光ファイバ５１先端の裸光ファイバ５１ａを、被覆部収納溝６４４から、該被覆部収納溝６４４に連通されている調心溝６４３に挿入し、調心溝６４３にて、フェルール６３側の内蔵光ファイバ６７と突き合わせ接続させる。
【００６１】
光ファイバ５１は、調心溝６４３への挿入長と、被覆部収納溝６４４への挿入長とに鑑みて、引き留め部材６２からの突出長及び裸光ファイバ５１ａの露出長を、素子部６４０への挿入前に、予め、確保しておくことは言うまでも無い。
引き留め部材受け部６６１の内部には、引き留め部材６２から突出されている光ファイバ５１を、素子部６４０後端に開口する被覆部収納溝６４４の開口部６４５に誘導するための誘導壁等を設けておくことが好ましい。
なお、クランプ部付きフェルール６５のクランプ部６４は、光コネクタ本体６１の引き留め部材受け部６６１に引き留め部材６２を押し込む前に、介挿部材６４８によって、素子部６４０の一対の素子６４１、６４２の間を開放して、被覆部収納溝６４４への光ファイバ５１の挿入、及び、調心溝６４３への裸光ファイバ５１ａの挿入が可能な状態にしておく。
【００６２】
次いで、クランプ部６４の素子部６４０の一対の素子６４１、６４２の間から介挿部材６４８を引き抜く。
これにより、クランプ部６４のばね６４６の弾性によって、一対の素子６４１、６４２の間が閉じられ、一対の素子６４１、６４２の間に光ファイバ６７、５１がクランプ固定される。また、このクランプ固定によって、内蔵光ファイバ６７と、光ファイバ５１先端の裸光ファイバ５１ａとの突き合わせ接続状態が維持される。
【００６３】
以上により、ドロップケーブル５先端への光コネクタ６の取り付け（組み立て）を行える。
光コネクタ６によってコネクタ接続可能に成端されたドロップケーブル５は、光コネクタ６を、光コネクタモジュール３７の光コネクタアダプタ３７１に挿入して接続することで、光ファイバケーブル４側の光ファイバに対して簡単に光接続することができる。また、光コネクタ６の光コネクタアダプタ３７１に対する切替接続によって、接続対象の光ファイバケーブル４側の光ファイバを簡単に切り替えることができる。
【００６４】
（クロージャスリーブ）
クロージャスリーブ２は、内部ユニット３を、防水性を確保して収納するための外装体である。また、このクロージャスリーブ２は、必要に応じて、気密性も得られるようにする。
クロージャスリーブ２としては、様々な構造のものを採用できる。
図１に例示したクロージャスリーブ２は、一対のスリーブ半体２１１、２１２をヒンジ部２１３で相対回転可能に連結してなる二つ割り構造のスリーブ本体２１と、筒状に組み立てられるスリーブ本体２１の軸方向両端を塞ぐ一対の端面板２２とで構成されている。
【００６５】
スリーブ本体２１はプラスチック製であり、前記ヒンジ部２１３は、具体的には、一対のスリーブ半体２１１、２１２の間に形成された屈曲容易な薄肉部である。
一対のスリーブ半体２１１、２１２は、ヒンジ部２１３を中心とする回転によって開閉できる。
クロージャスリーブ２の組み立ては、ヒンジ部２１３を中心とする回転によって一対のスリーブ半体２１１、２１２を閉じ合わせ、スリーブ本体２１の軸方向両端に配置した端面板２２を、それぞれ、一対のスリーブ半体２１１、２１２の間に両側から挟み込む。
一対のスリーブ半体２１１、２１２は、ボルト、ナット式の締結部品２１４（図２（ａ）参照）等によって締結して、強固に一体化する。締結部品２１４の締結を解除すれば、一対のスリーブ半体２１１、２１２を開放でき、クロージャスリーブ２を解体できる。
【００６６】
図２（ａ）、（ｂ）に示すように、前記端面板２２には、クロージャスリーブ２内に光ファイバケーブル４を導入するためのケーブル導入孔２２ａ、及び、ドロップケーブル５を導入するためのドロップケーブル導入孔２２ｂが形成されている。ケーブル導入孔２２ａ及びドロップケーブル導入孔２２ｂは、端面板２２を貫通する貫通孔である。
この端面板２２は、プラスチック製であり、一対の端面板半体２２１、２２２を、一対のスリーブ半体２１１、２１２の間に形成された屈曲容易な薄肉部であるヒンジ部２２３で回転可能に連結して、開閉可能とした構造になっている。この端面板２２は、開閉可能な二つ割り構造であるため、例えば、既設の光ファイバケーブル４に対して簡単に組み付けることができる、といった利点がある。
【００６７】
ケーブル導入孔２２ａは、一対の端面板半体２２１、２２２を一体化したときに、各端面板半体２２１、２２２の合わせ面２２１ａ、２２２ａから窪む半円状に形成された半円状凹部２２１ｂ、２２２ｂ同士が一体化されることで形成される。
一対の端面板半体２２１、２２２を一体化して端面板２２を組み立てて、ケーブル導入孔２２ａに光ファイバケーブル４を収納する場合、ケーブル導入孔２２ａは、光ファイバケーブル４の外周面と、ケーブル導入孔２２ａの内面との間に挟み込まれるゴム状弾性部材であるパッキン２２４によって封止される。これにより、ケーブル導入孔２２ａに高い水密性を確保できる。
パッキン２２４の材質は、例えば、ブタジエンゴム、エチレンプロピレンゴム（特にＥＰＤＭ）等の、特に柔軟性に優れたものである。
クロージャスリーブ２を組み立てたときには、スリーブ本体２１の一対のスリーブ半体２１１、２１２を一体化する締結力が、端面板２２の一対の端面板半体２２１、２２２同士を互いに圧接させる力として働き、さらに、パッキン２２４の圧縮力としても働くため、パッキン２２４によってケーブル導入孔２２ａが確実に封止され、高い水密性が得られる。
【００６８】
なお、図２（ａ）、（ｂ）に例示したように、両端面板半体２２１、２２２の合わせ面２２１ａ、２２２ａに形成された半円状凹部２２１ｂ、２２２ｂ同士が一体化されることで形成されるケーブル導入孔２２ａを複数有する端面板２２の場合は（図２（ａ）、（ｂ）は、ケーブル導入孔２２ａが２つの例）、隣り合うケーブル導入孔２２ａ同士を、端面板半体２２１、２２２間に確保される狭幅の連通空間２２ｃで連通させ、全てのケーブル導入孔２２ａをひと繋がりとした、多連導入孔２２ｄを形成する。
また、パッキン２２４としては、多連導入孔２２ｄの両側の端面板半体２２１、２２２の多連導入孔２２ｄに臨む側面に沿って配置される一対のパッキン半体２２４ａ、２２４ｂからなるものを採用する。
【００６９】
図２（ａ）、（ｂ）に例示した端面板２２のドロップケーブル導入孔２２ｂは、端面板２２を構成する一対の端面板半体２２１、２２２の内の片方（ここでは、符号２２２の端面板半体）の、合わせ面２２２ａとは反対側の側面２２２ｃ（外周面の一部）から端面板半体２２２に切り込む溝状に形成されている。このドロップケーブル導入孔２２ｂは、端面板半体２２の側面２２２ｃにおける開口部が、端面板２２の外周面の全周にわたって圧接されるスリーブ本体２１の内面によって塞がれることで、孔状となる。
スリーブ本体２１を開いて、ドロップケーブル導入孔２２ｂの端面板半体２２の側面２２２ｃにおける開口部を開放すれば、ドロップケーブル導入孔２２ｂに対する、ドロップケーブル５の嵌め込み、及び、取り出し等の作業を、簡単に、楽に行える。
【００７０】
ドロップケーブル導入孔２２ｂは、端面板半体２２２の側面２２２ｃの複数箇所に形成されている。また、図示例の端面板２２では、図４、図５に示すように、端面板半体２２２を端面板２２の厚み方向に貫通する溝状のドロップケーブル導入孔２２ｂは、端面板半体２２の側面２２２ｃにおける端面板２２の厚み方向中央部に形成された溝２２５によって、長手方向中央部が分断されている。
【００７１】
なお、ドロップケーブル導入孔２２ｂとしては、図示例のような、端面板半体２２の側面２２２ｃから切り込んだ形状の溝からなるものに限定されず、例えば、端面板２２に穿設した孔状のものであっても良い。この場合、孔状のドロップケーブル導入孔２２ｂは、ドロップケーブル５を、端面板２２の外面側（クロージャスリーブ２の外側）から、ドロップケーブル導入孔２２ｂに挿し通して挿通できるように、大きさ等を調整する。
孔状のドロップケーブル導入孔２２ｂの端面板２２における形成位置は、ドロップケーブル５の導入作業に支障が無い位置であれば良く、特には限定されない。
また、図示例のような、端面板２２の側面に形成された溝からなるドロップケーブル導入孔２２ｂは、端面板２２の外周部における形成位置は、図示例に限定されず、適宜、変更可能である。
【００７２】
図示を略すが、ドロップケーブル導入孔２２ｂも、例えば、前述したパッキン２２４と同様の材質からなる封止材料等を用いて、封止することが好ましい。
また、ドロップケーブル５が挿通されていない、空きのドロップケーブル導入孔２２ｂは、例えば取り外し可能な盲栓（図示略）の嵌め込み等により、封止しておく。
【００７３】
（吊り下げ具）
図２（ａ）、（ｂ）、図３に示すように、光クロージャ１には、該光クロージャ１を架空布設された光ファイバケーブル４に組み立てる場合に、光クロージャ１を、光ファイバケーブル４上に布設されている支持線８から吊り下げるための吊り下げ具９が設けられている。
この吊り下げ具９は、内部ユニット３の連結棒３１の長手方向両端に取り付けられている。また、この吊り下げ具９は、クロージャスリーブ２の端面板２２を貫通して、クロージャスリーブ２の外側に突出される突出部材９１と、この突出部材９１のクロージャスリーブ２の外側に突出される部分に取り付けられ、支持線８を把持固定する支持線固定部９２とを具備している。
【００７４】
（導入するドロップケーブルの増設）
前記光クロージャ１は、光ファイバケーブル４に組み立てる際に、光ファイバケーブル４から、ドロップケーブル５の増設を見込んだ本数（あるいは心数）の光ファイバ４１を引き出し、各光ファイバ４１のコネクタ成端（ここでは、光コネクタ４３でコネクタ成端されたコネクタ付き光ファイバ４２の融着接続）、余長処理等を行って、ケース積層体３４全体を組み立てることで（図６、図１０（ａ）に示すように、光コネクタモジュール３７の光コネクタアダプタ３７１への光コネクタ４３の接続等も完了した状態）、ドロップケーブル５の増設を極めて簡単に行える。
【００７５】
上述のように、ドロップケーブル５の増設を見込んだ本数（あるいは心数）の光ファイバ４１をコネクタ成端して、組み立てた光クロージャ１（光コネクタ４３の）は、ドロップケーブル５がコネクタ接続されていない、空きの光コネクタアダプタ３７１を有する。光クロージャ１に導入するドロップケーブル５の増設は、クロージャスリーブ２のスリーブ本体２１を取り外し、ドロップケーブル５の先端に取り付けた光コネクタ６を、前述した空きの光コネクタアダプタ３７１に挿入して接続した後、クロージャスリーブ２を組み立てれば良い。
【００７６】
したがって、光クロージャ１によれば、ドロップケーブル５先端の光コネクタ６の光コネクタアダプタ３７１への接続によって、光ファイバケーブル４の光ファイバとドロップケーブル５の光ファイバ５１との光接続を簡単に実現できるため、ドロップケーブル５の増設を非常に簡単に行える。
従来のように、高所作業での光ファイバ同士（光ファイバケーブル側の光ファイバとドロップケーブルの光ファイバ）の融着接続は不要であり、増設作業を短時間で迅速に行える。
【００７７】
光ファイバケーブル４に対する光クロージャ１の組み立て（最初の組み立て）を、地上等の、作業性を充分に確保できる場所で行い、組み立て完了後に、光ファイバケーブル４を電柱間に張設することで、光クロージャ１を架空設置すれば、光ファイバケーブル４に対する光クロージャ１の最初の組み立てでも、高所作業での光ファイバ同士の融着接続を回避することができる。光ファイバケーブル４から引き出した光ファイバ４１とコネクタ付き光ファイバ４２との融着接続や、光ファイバ４１、４２の余長処理、ケース積層体３４全体の組み立て等の作業性を充分に確保できることは言うまでも無い。
【００７８】
（別実施形態）
図１３は、コネクタ付き光ファイバ４２を用いずに、光ファイバケーブル４から引き出した光ファイバ４１の先端に、直接、光コネクタ４３を取り付け、この光コネクタ４３を、光コネクタモジュール３７の内側から光コネクタアダプタ３７１に挿入して、接続した例を示す。
光コネクタ４３としては、ドロップケーブル５用の光コネクタ６と同様に、現場付け光コネクタを採用する。この光コネクタ４３としては、例えば、光コネクタ６と同様の構造のものを採用できる。
【００７９】
なお、本発明は、上述した実施形態に限定されず、各種変更が可能である。
例えば、上述した実施形態では、渡り配線空間３４１を内部に有するケース積層体３４を採用した例を説明したが、本発明は、余長収納ケース３６と光コネクタモジュール３７との間の渡り配線が、ケース積層体３４の外側での引き回しによって配線される構成であっても良い。この場合、余長収納ケース３６の側壁部、光コネクタモジュール３７の側壁部に、渡り配線の光ファイバを通すための挿通口を形成しておく。但し、上述の実施形態のように、渡り配線空間３４１を内部に有するケース積層体３４の採用は、クロージャスリーブ２内における光ファイバの配線スペース確保、クロージャスリーブ２の小型化の点で、ケース積層体３４の外側に渡り配線を引き回す構成に比べて有利である。
光コネクタアダプタ３７１内にて接続される光コネクタ４３、６（光コネクタプラグ）としては、単心、多心のいずれでも良く、また、その種類も、特に限定は無い。光コネクタ４３、６の心数は、コネクタ成端する光ファイバの心数に応じたものを採用する。
光ファイバケーブル４から引き出した光ファイバ４１とコネクタ付き光ファイバ４２との接続は、融着接続に限定されず、例えば、メカニカルスプライス等を利用した突き合わせ接続（機械的接続）であっても良い。
本発明は、架空光ファイバケーブル用の光クロージャに限定されず、光ファイバケーブルへの組み立て後に、第２の光ファイバケーブルの導入、及び、第１の光ファイバケーブル側の光ファイバとの接続作業を行えるようにする光クロージャに広く適用可能である。
【図面の簡単な説明】
【００８０】
【図１】本発明に係る光クロージャを示す分解斜視図である。
【図２】図１の光クロージャの端面板を示す図であって、（ａ）は端面板を光ファイバケーブルに組み付けた状態、（ｂ）は端面板の一対の端面板半体を開いた状態を示す。
【図３】図１の光クロージャの内部ユニットを示す正面図である。
【図４】図１の光クロージャの内部ユニットを示す平面図である。
【図５】図１の光クロージャのドロップケーブル固定具及び端面板を示す拡大斜視図である。
【図６】図１の光クロージャのケース積層体の構造を示す断面図である。
【図７】図１の光クロージャのケース積層体における、光ファイバケーブルの光ファイバ及びコネクタ付き光ファイバの引き回しを示す光配線図である。
【図８】図６のケース積層体の構造を示す図であって、図３のＡ−Ａ線断面矢視図である。
【図９】（ａ）、（ｂ）は、図１の光クロージャの光コネクタモジュールの外観構造を示す図である。
【図１０】（ａ）、（ｂ）は、図１の光クロージャの光コネクタモジュールの、蓋板を取り外した状態を示す図である。
【図１１】図１の光クロージャに適用されるドロップケーブル用の光コネクタを示す図であって、（ａ）は光コネクタと引き留め部材とを分離して示した図、（ｂ）はクランプ部付きフェルールを示す断面図、（ｃ）はクランプ部付きフェルールのクランプ部を示す断面図である。
【図１２】図１１のドロップケーブル用光コネクタの引き留め部材を示す斜視図である。
【図１３】本発明に係る光クロージャの別実施形態を示す図であり、ケース積層体の構造の別態様を示す断面図である。
【符号の説明】
【００８１】
１…光クロージャ、２…クロージャスリーブ、２２ａ…ケーブル導入孔、２２ｂ…ケーブル導入孔（ドロップケーブル導入孔）、３１…連結棒、３２…ケーブル固定具、３３…ドロップケーブル固定具、３４…ケース積層体、３４１…渡り配線空間、３５…連結ユニット、３６…余長収納ケース、３７…光コネクタモジュール、３７１…光コネクタアダプタ、３７２…モジュールケース、３７３ａ，３７３ｂ…側壁部、４…第１の光ファイバケーブル（光ファイバケーブル）、４１…光ファイバ、４２…コネクタ付き光ファイバ、４２ａ…余長、４３…第１光コネクタ（光コネクタプラグ）、４４…接続部（融着接続部）、５…第２の光ファイバケーブル（ドロップケーブル）、５１…光ファイバ（光ファイバ素線）、６…第２光コネクタ（光コネクタプラグ）、７…余長処理部材。
【図１】
0004652263.tif 000002
【図２】
0004652263.tif 000003
【図３】
0004652263.tif 000004
【図４】
0004652263.tif 000005
【図５】
0004652263.tif 000006
【図６】
0004652263.tif 000007
【図７】
0004652263.tif 000008
【図８】
0004652263.tif 000009
【図９】
0004652263.tif 000010
【図１０】
0004652263.tif 000011
【図１１】
0004652263.tif 000012
【図１２】
0004652263.tif 000013
【図１３】
0004652263.tif 000014